(57)【特許請求の範囲】
【請求項１】
遊技盤に設けた開口部内に固定されるケーシングの前面に、入賞口を開設するとともに、前記ケーシングに枢支された開閉扉が、前記ケーシング内に設けられた開閉機構の作動により、前記入賞口を塞いで遊技球が前記入賞口に入賞できないようにする第１の状態と前記入賞口を開いて遊技球を前記ケーシング内に誘導可能とする第２の状態とに変位し得るようにしたパチンコ機の入賞装置において、
前記ケーシングは、前記遊技盤の開口部を閉塞するように前記遊技盤の前面に固定される不透明のプラスチック製のベース板と、ベース板の背面に固定されるとともに、前記開口部内に挿入される不透明のプラスチック製のケース枠とを含み、
前記ケーシング内に、前記ケース枠内の奥壁に枢着され、かつ前記ケーシングに設けられたソレノイドの作動に連動して、前記ケーシング内に誘導された遊技球を所定の方向へ振り分けるように作動可能な振り分け板と、前記ケース枠内の奥壁面に貼着され、前記ケーシング内に誘導された遊技球の通路を表示するシールとを設け、
前記ケース枠の上面に、前記ケーシング内の前記振り分け板及び前記シールを前記ケーシングの外部から視認可能とする検査用窓を開設し、
前記検査用窓は、前記ケーシングを前記遊技盤に固定した状態において、前記開口部の内縁に対向して閉塞されるようにしたことを特徴とするパチンコ機の入賞装置。
【発明の詳細な説明】
【０００１】
【発明の属する技術の分野】
本発明は、いわゆる大当たり状態の際に、開閉扉を開いて大入賞口を開放するようにしたパチンコ機の入賞装置に関する。
【０００２】
【従来の技術】
パチンコ機の機種の中で第１種特別電動役物を備える機種は、始動入賞口に遊技球が入ると、可変図柄表示装置が変動し、図柄の組合せが予め定めた図柄となったときに大当たりとなり、一定時間の間、開閉扉を開けて大入賞口を開放する入賞装置を備えている。
【０００３】
入賞装置は、遊技盤に固定され、かつ前面に大入賞口を有するケーシングに、大入賞口を開閉する開閉扉が枢着されるとともに、ケーシングの内部には、大入賞口に入った遊技球を所定の方向へ誘導する振り分け板、及び振り分け板を作動させる振り分け板傾動機構、開閉扉を開閉動作させる大入賞口開閉機構等が収容されている。またケーシングの奥壁には、種々のマークが印刷されたシールが貼着されている。
【０００４】
【発明が解決しようとする課題】
しかし、上述のような従来のパチンコ機の入賞装置においては、ケーシング及び開閉扉が不透明のプラスチックをもって形成されているため、外部から内部構造が視認できないようになっている。そのために、入賞装置の組立作業の検査工程において、ケーシング内に収容された内部構造の動作確認、及びシールの有無等を検査する場合には、振り分け板傾動機構及び大入賞口開閉機構の各ソレノイドに電源を供給して、各部品を作動させるとともに、指で開閉扉を開いた状態で、大入賞口から内部を覗いて、内部構造を検査しなければならず、検査作業の効率が極めて悪いという問題がある。
【０００５】
本発明は、上述のような従来の課題を解決するためになされたものであって、その目的は、入賞装置の内部構造を、容易かつ確実に確認できるようにして、検査作業の効率及び品質の向上を図ることができるようにしたパチンコ機の入賞装置を提供することにある。
【０００６】
【課題を解決しようとする手段】
本発明によると、上記課題は次のようにして解決される。
遊技盤に設けた開口部内に固定されるケーシングの前面に、入賞口を開設するとともに、前記ケーシングに枢支された開閉扉が、前記ケーシング内に設けられた開閉機構の作動により、前記入賞口を塞いで遊技球が前記入賞口に入賞できないようにする第１の状態と前記入賞口を開いて遊技球を前記ケーシング内に誘導可能とする第２の状態とに変位し得るようにしたパチンコ機の入賞装置において、前記ケーシングは、前記遊技盤の開口部を閉塞するように前記遊技盤の前面に固定される不透明のプラスチック製のベース板と、ベース板の背面に固定されるとともに、前記開口部内に挿入される不透明のプラスチック製のケース枠とを含み、前記ケーシング内に、前記ケース枠内の奥壁に枢着され、かつ前記ケーシングに設けられたソレノイドの作動に連動して、前記ケーシング内に誘導された遊技球を所定の方向へ振り分けるように作動可能な振り分け板と、前記ケース枠内の奥壁面に貼着され、前記ケーシング内に誘導された遊技球の通路を表示するシールとを設け、前記ケース枠の上面に、前記ケーシング内の前記振り分け板及び前記シールを前記ケーシングの外部から視認可能とする検査用窓を開設し、前記検査用窓は、前記ケーシングを前記遊技盤に固定した状態において、前記開口部の内縁に対向して閉塞されるようにする。
【０００７】
【発明の実施の形態】
以下、本発明の一実施形態を図に基いて説明する。
図１は、パチンコ機の遊技盤(１)の概略正面図、図２は、図１におけるII−II線に沿う拡大縦断面図であって、従来のパチンコ機と同様に、遊技盤(１)のほぼ中央部に始動入賞口(２)が配置され、始動入賞口(２)の下方に入賞装置(３)、また上方に複数の図柄を変動表示させる可変図柄表示装置(４)がそれぞれ配置されている。
【０００８】
遊技球が始動入賞口(２)に入賞すると、所定の個数の遊技球が払い出されるとともに、大当たりになる抽選がおこなわれ、可変図柄表示装置(４)の各図柄を可変表示させる。そして、各図柄の組合せが予め定めた図柄となったときに大当たりとなり、一定時間の間、入賞装置(３)の開閉扉(５)を開けて大入賞口(６)を開口する。
【０００９】
入賞装置(３)は、大当たり状態でない場合に開閉扉(５)が閉じて、大入賞口(６)に遊技球が入賞できないようにし、また大当たりの場合に開閉扉(５)が開いて、大入賞口(６)を開口することによって、遊技盤(１)面を流下してきた遊技球を開閉扉(５)で受け止めて大入賞口(６)内に誘導するようになっている。
【００１０】
なお、遊技盤(１)の裏面には、上述した抽選や遊技の制御などを行なうメイン基板、遊技球の発射を行なう遊技球発射装置、遊技球を払い出す遊技球払出し装置などのパチンコ機に必要な装置が取付けられている。
【００１１】
入賞装置(３)は、横長のベース板(７)が遊技盤(１)の前面にビス止めされている。ベース板(７)のほぼ中央には、大入賞口(６)が設けられ、また、その背面には、ケース枠(８)がビス止めされて、ベース板(７)とケース枠(８)とが一体化されている。なお、開閉扉(５)、ベース板(７)及びケース枠(８)は、不透明のプラスチックをもって形成され、ベース板(７)とケース枠(８)とからなるケーシング(９)の内部構造を、外部から視認できないようになっている。また、図２に示すように、ケース枠(８)は、遊技盤(１)に設けられた開口部(1a)内に挿入された状態で、ベース枠(７)を介して遊技盤(１)に固定される。
【００１２】
ケース枠(８)の上面には、ケーシング(９)の内部構造を検査するための検査用窓(10)が開設されている。検査用窓(10)は、外部からケーシング(９)の内部構造を視認でき得る十分な大きさを有するとともに、図２に示すように、入賞装置(３)のケーシング(９)を遊技盤(１)に固定した状態において、遊技盤(１)の板厚、換言すると、開口部(1a)の内縁(1b)に対向し、かつ内縁(1b)をもって隠蔽される位置に設けられることにより、薄板を外部から入賞装置(３)内に挿入する等の不正行為に対して、極めて効果的に防止することができる。
【００１３】
図３は、入賞装置(３)の分解斜視図、図４は、入賞装置(３)の組立状態の斜視図を示す。
ベース板(７)に設けられた大入賞口(６)の側縁には、左右方向を向く支軸(11)(11)によって、開閉扉(５)の左右両側が枢着される。
【００１４】
開閉扉(５)は、その右端に設けられた開閉ピン(5a)が大入賞口開閉機構(12)に連結され、大入賞口開閉機構(12)によって、大当たり状態でない場合に大入賞口(６)を塞いで、遊技球が入賞できないようにする第１の状態と、図２及び図４に示すように、大当たりの場合に回転転倒して大入賞口(６)を開口することによって、遊技盤(１)面を流下してきた遊技球を受け止めて大入賞口(６)内に誘導する第２の状態とに変位することができるようになっている。
【００１５】
大入賞口開閉機構(12)は、ベース板(７)の裏面側に固定されるソレノイド(13)の励磁によって進退するプランジャ(14)と、ほぼ中央部がベース板(７)の裏面に突設された後方を向く支軸(7a)に枢着されるとともに、一端がプランジャ(14)の先端部に連結軸(15)をもって連結され、かつ他端部が開閉扉(５)の開閉ピン(5a)に連結される連結片(16)とから形成されている。
【００１６】
ケース枠(８)における奥壁に突設された前方を向く支軸(8a)には、大入賞口(６)に入賞した遊技球を、所定の方向へ振り分けるように傾動可能な振り分け板(17)の中央部が枢着されている。
【００１７】
振分け板(17)は、振り分け板傾動機構(18)に連結されていて、振り分け板傾動機構(18)によって図示略の普通球通路又はラウンド継続球通路のいずれかに、遊技球を振り分ける。遊技球がラウンド継続球通路を通過することにより、大当たりの次のラウンドを継続することができる。
【００１８】
振り分け板傾動機構(18)は、ベース板(７)の裏面側に固定されたソレノイド(19)の励磁によって進退するプランジャ(20)と、上端部がベース板(７)の裏面に突設された後方を向く支軸(7b)に枢着されるとともに、中央部がプランジャ(20)の先端部に連結された揺動片(21)と、左端部が揺動片(21)の下端部に連結され、右端部が振り分け板(17)に設けられた連結軸(17a)に連結された連結片(22)とから形成されている。
【００１９】
振り分け板(17)は、プランジャ(20)の進退によって、揺動片(21)及び連結片(22)を介して、遊技球をラウンド継続球通路に誘導する右上がりの傾動姿勢と、遊技球を普通球通路に誘導する左上がりの傾動姿勢とに変位可能である。
【００２０】
ケース枠(８)の奥壁には、ラウンド継続球通路の位置を表示する"Ｖ"マークが印刷されたシール(23)が貼着されている。
【００２１】
ケーシング(９)の内部に収容された振り分け板(17)及びシール(23)は、図４に示すように、ケーシング(９)の外部からケース枠(８)の上面に設けられた検査用窓(10)を通して視認される。
【００２２】
以上の説明により、入賞装置(３)の組立作業の検査工程において、各部品の動作及び部品の装着状況を検査する場合は、大入賞口開閉機構(12)のソレノイド(13)及び振り分け板傾動機構(18)のソレノイド(19)に電源を供給して、開閉扉(５)及び振り分け板(17)を作動させ、その動作を確認する。
【００２３】
ケーシング(９)内に収容された内部構造、すなわち振り分け板(17)の作動、シール(23)の貼着の有無の検査は、従来のように、指で開閉扉(５)を開けることなく、検査用窓(10)からケーシング(９)内を覗いておこなわれる。特に、シール(23)の貼着の有無は、内部構造により遮られることなく、容易に検査することができる。
【００２４】
以上、本発明の実施形態について説明したが、本発明の要旨を逸脱しない範囲内で、上記実施形態に種々の変形や変更を施すことが可能である。
【００２５】
例えば、検査用窓(10)を、透明または半透明の透過性のプラスチック等の透明板をもって閉塞すること及びケーシング(９)の側面等の上面以外に設けること、ケーシング(９)内に収容される内部構造を、振り分け板(17)、シール(23)以外とすること等が挙げられる。検査用窓(10)を透過性のプラスチックをもって形成した場合は、ケーシング(９)に開口を設ける必要がないので、ケーシング(９)内への塵埃等の侵入を防止することができる。さらには、薄板をケーシング(９)内へ挿入することが不可能であるので、前述のような不正行為をより確実に防止することができる。
【００２６】
【発明の効果】
本発明によると、次のような効果を奏することができる。
（ａ）請求項１記載の発明によれば、ケーシングの適所に、ケーシングの内部に収容された内部構造を、外部から視認可能とする検査用窓を設けたことにより、ケーシングの内部構造を、検査用窓から容易かつ確実に検査をおこなうことができ、検査作業の効率化を図るとともに、入賞装置の品質向上を図ることができる。
【図面の簡単な説明】
【図１】  本発明の一実施形態におけるパチンコ機の遊技盤の概略正面図である。
【図２】  図１におけるII−II線に沿う拡大縦断面図である。
【図３】  入賞装置の分解斜視図である。
【図４】  入賞装置の組立状態の斜視図である。
【符号の説明】
(１)遊技盤
(２)始動入賞口
(３)入賞装置
(４)可変図柄表示装置
(５)開閉扉
(5a)開閉ピン
(６)大入賞口（入賞口）
(７)ベース板
(7a)(7b)支軸
(８)ケース枠
(8a)支軸
(９)ケーシング
(10)検査用窓
(11)支軸
(12)大入賞口開閉機構
(13)ソレノイド
(14)プランジャ
(15)連結軸
(16)連結片
(17)振り分け板
(17a)連結軸
(18)振り分け板傾動機構
(19)ソレノイド
(20)プランジャ
(21)揺動片
(22)連結片
(23)シール
【図１】
0004176990.tif 000002
【図２】
0004176990.tif 000003
【図３】
0004176990.tif 000004
【図４】
0004176990.tif 000005